(57)【要約】【課題】変形ないし破損が生じにくい排水弁装置を提供すること。【解決手段】本発明は、便器本体を洗浄する洗浄水を貯える洗浄水タンクの排水弁装置であって、前記洗浄水タンクに設けられた排水口を開閉するための弁体と、前記排水口に対して水密に取り付けられ、前記弁体が前記排水口を閉鎖する際に着座する弁座を提供する排水口取付部と、を備え、前記排水口取付部は、前記排水口に挿入される筒部と、前記筒部の上方側に隣接して前記筒部の側面から外側に突出する突当部と、前記突当部の上方側において前記突当部より更に外側に突出する鍔部と、を有しており、前記突当部の下面は、前記洗浄水タンクの底面に当接するようになっており、前記突当部の外側には、前記洗浄水タンクの前記底面と前記排水口取付部の前記鍔部との間を水密にシールするシール部材が設けられていることを特徴とする排水弁装置である。【選択図】図４
2020033740.tif 000002
【特許請求の範囲】
【請求項１】
便器本体を洗浄する洗浄水を貯える洗浄水タンクの排水弁装置であって、
前記洗浄水タンクに設けられた排水口を開閉するための弁体と、
前記排水口に対して水密に取り付けられ、前記弁体が前記排水口を閉鎖する際に着座する弁座を提供する排水口取付部と、
を備え、
前記排水口取付部は、
前記排水口に挿入される筒部と、
前記筒部の上方側に隣接して前記筒部の側面から外側に突出する突当部と、
前記突当部の上方側において前記突当部より更に外側に突出する鍔部と、
を有しており、
前記突当部の下面は、前記洗浄水タンクの底面に当接するようになっており、
前記突当部の外側には、前記洗浄水タンクの前記底面と前記排水口取付部の前記鍔部との間を水密にシールするシール部材が設けられている
ことを特徴とする排水弁装置。
【請求項２】
前記筒部には、雄ネジ部が形成されている
ことを特徴とする請求項１に記載の排水弁装置。
【請求項３】
前記雄ネジ部は、４ピッチ以上の長さを有している
ことを特徴とする請求項２に記載の排水弁装置。
【請求項４】
前記突当部の高さは、５〜１０ｍｍである
ことを特徴とする請求項１乃至３のいずれかに記載の排水弁装置。
【請求項５】
前記排水口は、円筒形であり、
前記突当部の高さは、前記排水口の内径の１／２０〜１／１０の範囲の寸法である
ことを特徴とする請求項１乃至４のいずれかに記載の排水弁装置。
【請求項６】
前記筒部に対する外側への前記突当部の突出長さは、５〜１０ｍｍである
ことを特徴とする請求項１乃至５のいずれかに記載の排水弁装置。
【請求項７】
前記排水口は、円筒形であり、
前記筒部に対する外側への前記突当部の突出長さは、前記排水口の内径の１／２０〜１／１０の範囲の寸法である
ことを特徴とする請求項１乃至６のいずれかに記載の排水弁装置。
【発明の詳細な説明】
【技術分野】
【０００１】
本発明は、排水弁装置に係り、特に、排水口に対して水密に取り付けられて弁体が着座する弁座を提供する排水口取付部を備えるタイプの排水弁装置に関する。
【背景技術】
【０００２】
従来から、便器本体を洗浄する洗浄水を貯える洗浄水タンクの排水弁装置として、例えば、特許文献１及び特許文献２に記載されているように、洗浄水タンクに設けられた排水口を開閉するための弁体と、排水口に対して水密に取り付けられて弁体が排水口を閉鎖する際に着座する弁座を提供する排水口取付部と、を備えるタイプの排水弁装置が知られている。
【０００３】
特許文献１が開示する排水弁装置に対応する構成を、図５に示す。図５は、従来の（特許文献１の）排水弁装置の断面図である。
【０００４】
図５に示す排水弁装置においては、排水口取付部１１４が、弁体１３８が着座するための弁座１２６を提供しており、排水口１０６ｂに挿入される筒部１２４と、筒部１２４の上方側において外側に突出する鍔部１３０と、鍔部１３０の外側縁において下方側に垂下する突当部１３１と、を有している。
【０００５】
突当部１３１の下面は、洗浄水タンクの底面１０６ａに当接するようになっている。また、洗浄水タンクの底面１０６ａと鍔部１３０との間を水密にシールするシール部材１３２が設けられている。
【０００６】
このような排水弁装置においては、シール部材１３２によって、洗浄水タンクの底面１０６ａと排水口取付部１１４とが確実に水密に取り付けられる。また、突当部１３１を有する構成であるため、シール部材１３２の締付量（締付代）にバラツキが生じることを抑制することができる。
【０００７】
続いて、特許文献２が開示する排水弁装置に対応する構成を、図６に示す。図６は、別の従来の（特許文献２の）排水弁装置の断面図である。
【０００８】
図６に示す排水弁装置においても、排水口取付部２１４が、弁体２３８が着座するための弁座２２６を提供しており、排水口２０６ｂに挿入される筒部２２４と、筒部２２４の上方側において外側に突出する鍔部２３０と、を有している。
【０００９】
図６に示す排水弁装置では、鍔部２３０の外側縁において下方側に垂下する突当部は設けられていない。一方で、筒部２２４に雄ネジ部２２４ｍが設けられていて、雌ネジ部２２８ｆを有する締付部材２２８を洗浄水タンクの下方側から締め付けることによって、洗浄水タンクの底面２０６ａと鍔部２３０との間のシール部材２３２の締付量（締付代）を確保するようになっている。
【００１０】
例えば締付部材２２８の締付トルクを管理することで、シール部材２３２の締付量（締付代）にバラツキが生じることを抑制することができる。しかしながら、突当部を設ける構成の場合には不要である締付トルクの管理は、ユーザにとっては面倒な場合もあり得る。
【先行技術文献】
【特許文献】
【００１１】
【特許文献１】特開２０１６−１８０２４５号公報
【特許文献２】特開２０１３−２０４２６８号公報
【発明の概要】
【発明が解決しようとする課題】
【００１２】
ところで、図５に示す構成について、鍔部１３０及び／または突当部１３１の変形ないし破損が生じることが報告されていた。本件発明者は、その原因究明について鋭意検討を重ね、洗浄水タンクが一般的には陶器製であることが要因の１つであることを突き止めた。
【００１３】
現状の洗浄水タンクにおいては、排水口１０６ｂの開口縁の近傍では陶器の変形量は小さく抑制されている。しかしながら、本件発明者は、開口縁から離れるにつれて陶器の「うねり」が認められる場合があり、洗浄水タンクの底面１０６ａが平坦でない場合があることを突き止めた。洗浄水タンクの底面１０６ａが平坦でないために、これと当接する突当部１３１、ひいては当該突当部１３１を支持する鍔部１３０において、設計許容値を上回る応力集中が生じて、それらの変形ないし破損が生じてしまうのである。
【００１４】
更に、本件発明者は、筒部１２４における負荷が「てこの原理」によって筒部１２４から離れた突当部１３１において増大されて影響を及ぼすことも、要因の１つであることを突き止めた。
【００１５】
本発明は、以上の知見に基づいてなされたものである。本発明の目的は、排水口に対して水密に取り付けられて弁体が着座する弁座を提供する排水口取付部を備えるタイプの排水弁装置であって、変形ないし破損が生じにくい排水弁装置を提供することである。
【課題を解決するための手段】
【００１６】
本発明は、便器本体を洗浄する洗浄水を貯える洗浄水タンクの排水弁装置であって、前記洗浄水タンクに設けられた排水口を開閉するための弁体と、前記排水口に対して水密に取り付けられ、前記弁体が前記排水口を閉鎖する際に着座する弁座を提供する排水口取付部と、を備え、前記排水口取付部は、前記排水口に挿入される筒部と、前記筒部の上方側に隣接して前記筒部の側面から外側に突出する突当部と、前記突当部の上方側において前記突当部より更に外側に突出する鍔部と、を有しており、前記突当部の下面は、前記洗浄水タンクの底面に当接するようになっており、前記突当部の外側には、前記洗浄水タンクの前記底面と前記排水口取付部の前記鍔部との間を水密にシールするシール部材が設けられていることを特徴とする排水弁装置である。
【００１７】
本発明によれば、排水口の開口縁により近い位置で、突当部の下面が洗浄水タンクの底面に当接するため、洗浄水タンクが陶器製であって「うねり」を有する場合であっても、突当部において設計許容値を上回る応力集中が生じることが抑制される。これにより、突当部の変形ないし破損が生じることが抑制される。
【００１８】
また、本発明によれば、筒部と突当部とが隣接しているため、筒部における負荷が「てこの原理」によって増大されて突当部に影響を及ぼすことがない。これによっても、突当部の変形ないし破損が生じることが抑制される。
【００１９】
また、本発明によれば、筒部の根元にあたる部位が突当部によって肉厚となっているため、筒部が根元において折れる（あるいは割れる）という破損の可能性をも顕著に抑制することができる。
【００２０】
更に、本発明によれば、突当部を採用しているため、締付トルクの管理等を必要とすることなく、好適なシール部材の締付量（締付代）を常に確保することができる。
【００２１】
例えば、前記筒部には、雄ネジ部が形成されていてもよい。この場合、雌ネジ部を有する締付部材（ナットのような部材）を洗浄水タンクの下方側から締め付けることによって、排水口取付部を洗浄水タンクに固定することが容易である。もっとも、本発明の構成では、突当部を採用しているため、当該締付部材の締付力はシール部材の締付量（締付代）に実質的な影響を及ぼさない。
【００２２】
この場合、例えば、前記雄ネジ部は、４ピッチ以上の長さを有していてもよい。このように長い雄ネジ部を有する筒部であっても、筒部の根元にあたる部位が突当部によって肉厚となっているため、筒部が根元において折れる（あるいは割れる）という破損の可能性を小さく維持できる。
【００２３】
本発明の効果を奏する上で、突当部の高さは、５〜１０ｍｍであることが好ましく、及び／または、排水口が円筒形である場合には、突当部の高さは、排水口の内径の１／２０〜１／１０の範囲の寸法であることが好ましい。
【００２４】
また、本発明の効果を奏する上で、筒部に対する外側への突当部の突出長さは、５〜１０ｍｍであることが好ましく、及び／または、排水口が円筒形である場合には、筒部に対する外側への突当部の突出長さは、排水口の内径の１／２０〜１／１０の範囲の寸法であることが好ましい。
【発明の効果】
【００２５】
本発明によれば、排水口の開口縁により近い位置で、突当部の下面が洗浄水タンクの底面に当接するため、洗浄水タンクが陶器製であって「うねり」を有する場合であっても、突当部において設計許容値を上回る応力集中が生じることが抑制される。これにより、突当部の変形ないし破損が生じることが抑制される。また、本発明によれば、筒部と突当部とが隣接しており、筒部における負荷が「てこの原理」によって増大されて突当部に影響を及ぼすことがないことによっても、突当部の変形ないし破損が生じることが抑制される。また、本発明によれば、筒部の根元にあたる部位が突当部によって肉厚となっているため、筒部が根元において折れる（あるいは割れる）という破損の可能性をも顕著に抑制することができる。更に、本発明によれば、突当部を採用しているため、締付トルクの管理等を必要とすることなく、好適なシール部材の締付量（締付代）を常に確保することができる。
【図面の簡単な説明】
【００２６】
【図１】本発明の一実施形態による排水弁装置が適用される洗浄水タンク装置を備えた水洗大便器を示す概略図である。
【図２】図１のＩＩ−ＩＩ線に沿った断面斜視図である。
【図３】本発明の一実施形態による排水弁装置の平面図である。
【図４】図３のＩＶ−ＩＶ線に沿った断面図である（但し、筒体の図示が省略されている）。
【図５】従来の（特許文献１対応の）排水弁装置の断面図である。
【図６】別の従来の（特許文献２対応の）排水弁装置の断面図である。
【発明を実施するための形態】
【００２７】
以下、添付図面を参照して、本発明の一実施形態による排水弁装置８について説明する。図１は、本発明の一実施形態による排水弁装置８が適用される洗浄水タンク装置４を備えた水洗大便器１を示す概略図であり、図２は、図１のＩＩ−ＩＩ線に沿った断面図である。
【００２８】
図１に示すように、本実施形態による排水弁装置８が適用される洗浄水タンク装置４を備えた水洗大便器１は、汚物を受ける便器本体２と、当該便器本体２の後方側の上面に配置された直方体状の洗浄水タンク装置４と、を備えている。
【００２９】
洗浄水タンク装置４には、操作体として、大洗浄ボタン４ａと小洗浄ボタン４ｂとが取り付けられている。大洗浄ボタン４ａと小洗浄ボタン４ｂとは、それぞれ、洗浄水タンク装置４の上面（洗浄水タンク６の上面）において外部に露出しており、外部からの操作力（通常は手動の押下力）を受けて所定のストロークに亘って下方に平行移動するようになっている。
【００３０】
図２に示すように、洗浄水タンク装置４は、洗浄水タンク６と、当該洗浄水タンク６の底面６ａに形成された排水口６ｂに取り付けられる本発明の一実施形態による排水弁装置８と、洗浄水タンク６の底面６ａに載置されて洗浄水タンク６内に洗浄水を供給する給水装置１０と、を備えている。
【００３１】
また、排水弁装置８は、オーバーフロー管１２を有しており、洗浄水タンク６内の洗浄水がオーバーフロー管１２の上端位置に相当する規定水位を超えた場合、排水弁装置８の下流側（後述する弁体３８の下流側）へ流出させるようになっている。
【００３２】
更に図３及び図４をも参照して、本発明の一実施形態による排水弁装置８の構造について説明する。図３は、本発明の一実施形態による排水弁装置８の平面図であり、図４は、図３のＩＶ−ＩＶ線に沿った断面図である。
【００３３】
図２乃至図４に示すように、本実施形態の排水弁装置８は、洗浄水タンク６に設けられた排水口６ｂを開閉するための円盤状の弁体３８と、洗浄水タンク６の内部に取り付けられ、弁体３８が排水口６ｂを開閉できるように弁体３８に固定された主軸部材３４を可動に支持する筐体部１８と、を備えている。
【００３４】
本実施形態の排水弁装置８の筐体部１８は、洗浄水タンク６の底面６ａを貫く円筒状の排水口６ｂに水密に取り付けられる排水口取付部１４と、当該排水口取付部１４の更に上方に延びる略円筒状の弁体支持部１６と、を有している。弁体支持部１６には、主軸部材３４の上下移動を案内する摺動筒部１６ｓが設けられている。
【００３５】
より詳細には、排水口取付部１４は、略円筒状の排水口取付部本体２２と、排水口取付部本体２２の内側且つ下方に向かって縮径する縮径部２４ａと、縮径部２４ａから更に下方に向かって洗浄水タンク６の排水口６ｂを貫くように延びる排水路２４ｂと、縮径部２４ａの上縁に沿って略円環状に形成され上方に向けて突出している弁座２６と、を有している。縮径部２４ａと排水路２４ｂとが、排水路形成部２４を形成している。
【００３６】
本実施形態の排水口取付部１４では、排水路２４ｂに相当する部位が、排水口６ｂに挿入される筒部２４ｃと、当該筒部２４ｃの上方側に隣接して当該筒部２４ｃの側面から外側に突出する突当部２４ｄと、からなっている。そして、突当部２４ｄの下面は、洗浄水タンク６の底面６ａに当接するようになっている。
【００３７】
更に、突当部２４ｄの上方側に隣接して、突当部２４ｄより更に外側に突出する鍔部３０が設けられている。鍔部３０は、縮径部２４ａの下方の外周に位置している。そして、洗浄水タンク６の底面６ａと鍔部３０の下面との間に、円環状のパッキン３２が挟持されている。円環状のパッキン３２は、突当部２４ｄの外側に位置して、洗浄水タンク６の底面６ａと排水口取付部１４の鍔部３０との間を水密にシールするシール部材として機能するようになっている。
【００３８】
筒部２４ｃには、雄ネジ部２４ｍが形成されている。本実施形態の雄ネジ部２４ｍは、４ピッチの長さを有している。雌ネジ部２８ｆ（本実施形態では２ピッチの長さを有する）を有する締付部材２８（ナットのような部材）が、洗浄水タンクの下方側から筒部２４ｃの雄ネジ部２４ｍに対して締め付けられることによって、排水口取付部１４と洗浄水タンク６とは容易に固定される。もっとも、突当部２４ｄを採用しているために、当該締付部材２８の締付力は円環状のパッキン３２の締付量（締付代）には実質的な影響を及ぼさない。
【００３９】
排水口取付部本体２２の弁座２６よりも上方の領域には、周方向に複数の連通口３６が形成されている。各連通口３６の開口断面は、図４に示す側面視において、矩形状に形成されている。
【００４０】
排水口取付部本体２２の外周面には、略カップ状の筒体２０（図２及び図３参照）が取り付けられている。各連通口３６は、筒体２０の内側で排水口取付部本体２２の外側の領域と排水口取付部本体２２の内側の領域とを連通させている。これにより、洗浄水タンク６内の洗浄水の水位が筒体２０の上縁よりも上方に位置する時、筒体２０内に流入した洗浄水が、各連通口３６から排水口取付部本体２２内に流入するようになっている。
【００４１】
また、縮径部２４ａには、オーバーフロー管１２の下方部分と排水口取付部１４の内部（弁体３８の下流側）とを連通させるオーバーフロー管接続部（不図示）が設けられている。
【００４２】
円盤状の弁体３８は、排水口取付部１４の弁座２６に対する上下移動（当接状態と離間状態との間の移動）によって、排水口６ｂを開閉できるようになっている。弁体３８の上下移動は、弁体を支持する主軸部材３４の上下移動が弁体支持部１６の摺動筒部１６ｓによって案内されることに伴って、案内されるようになっている。
【００４３】
前述した大洗浄ボタン４ａ及び小洗浄ボタン４ｂは、弁体３８の引き上げ動作を起動させる操作体であって、本実施形態の排水弁装置８の構成要素である。本実施形態の排水弁装置８は、弁体３８を引き上げるべく操作体４ａ、４ｂの移動に連動して位置姿勢を変えるリンク機構４０を備えている。
【００４４】
本実施形態のリンク機構４０は、操作体４ａの移動のストロークの前半行程に連動して弁体３８（主軸部材３４）を閉鎖位置から中間引き上げ位置まで引き上げる第１リフト部材４１と、操作体４ａの移動のストロークの後半行程に連動して弁体３８（主軸部材３４）を中間引き上げ位置から更に上方へ引き上げる第２リフト部材４２と、を有している。
【００４５】
また、本実施形態のリンク機構４０は、洗浄水タンク６の内部に設けられた回動軸４３回りに回動する回動アーム４４を更に有している。回動アーム４４の回動軸４３に対する一方側（図４の左側）には、操作体４ａと接触する接触部４５が設けられ、回動アーム４４の回動軸４３に対する他方側（図４の右側）には、第１リフト部材４１及び第２リフト部材４２の上端部がそれぞれ揺動可能に支持（軸支）されている。
【００４６】
本実施形態では、回動アーム４４が第１リフト部材４１の上端部を揺動可能に支持する位置Ｐ１は、回動アーム４４が第２リフト部材４２の上端部を揺動可能に支持する位置Ｐ２よりも、回動軸４３に近くなっている。
【００４７】
また、本実施形態では、回動軸４３の軸線に垂直な断面において、回動アーム４４が第１リフト部材４１を支持する位置Ｐ１と回動軸４３とを結んだ直線が、回動アーム４４が第１リフト部材４１を支持する位置Ｐ１と回動アーム４４が第２リフト部材４２を支持する位置Ｐ２とを結んだ直線に対して、鈍角を形成するようになっている。
【００４８】
これにより、回動アーム４４が第１リフト部材４１を支持する位置Ｐ１が、回動アーム４４の回動によって回動軸４３よりも上方に至った時、回動アーム４４が第２リフト部材４２を支持する位置Ｐ２は、未だ回動軸４３よりも下方にある。
【００４９】
また、本実施形態では、第１リフト部材４１の下端部が、主軸部材３４を介して弁体３８を引き上げる（弁体３４に引き上げ力を提供する）ようになっている。具体的には、第１リフト部材４１の下端部には、図４の紙面に対して垂直な手前方向及び奥方向に（回動軸４３の軸線に平行に）円筒面状の当接面を上面側に有する第１係合部４１ｅが延びており（第１リフト部材４１の全体は略逆Ｔ字状の形態である）、主軸部材３４には、当該第１係合部４１ｅと干渉するように、同様に図４の紙面に対して垂直な手前方向及び奥方向に（回動軸４３の軸線に平行に）延びる第１干渉部５１が設けられている。第１干渉部５１の下面側には、図４の紙面に対して垂直な手前方向及び奥方向に（回動軸４３の軸線に平行に）延びる凹円筒面状の当接面５１ａが設けられており、当該当接面５１ａの曲率半径は、円筒面状の第１係合部４１ｅの当接面の曲率半径よりも大きくなっている。以上のような構成により、第１リフト部材４１の第１係合部４１ｅは、第１干渉部５１を介して主軸部材３４（ひいては弁体３８）を引き上げるようになっている。
【００５０】
図４から明らかなように、第１リフト部材４１の下端部は、平面視で弁体３８の中心位置にある。すなわち、第１リフト部材４１が弁体３８を引き上げるべく主軸部材３４を介して当該弁体３８に作用する（引き上げ力を提供する）位置は、平面視で当該弁体３８の中心にある。
【００５１】
一方、本実施形態では、第２リフト部材４２の下端部も、主軸部材３４を介して弁体３８を引き上げる（弁体３４に引き上げ力を提供する）ようになっている。具体的には、第２リフト部材４２の下端部にも、図４の紙面に対して垂直な手前方向及び奥方向に（回動軸４３の軸線に平行に）円筒面状の当接面を上面側に有する第２係合部４２ｅが延びており（第２リフト部材４２の全体も略逆Ｔ字状の形態であるが、第１リフト部材４１よりも短い）、主軸部材３４には、当該第２係合部４２ｅと干渉するように、同様に図４の紙面に対して垂直な手前方向及び奥方向に（回動軸４３の軸線に平行に）延びる第２干渉部５２が設けられている。第２干渉部５２の下面側には、図４の紙面に対して垂直な手前方向及び奥方向に（回動軸４３の軸線に平行に）延びる凹円筒面状の当接面５２ａが設けられており、当該当接面５２ａの曲率半径は、円筒面状の第２係合部４２ｅの当接面の曲率半径よりも大きくなっている。以上のような構成により、第２リフト部材４２の第２係合部４２ｅは、第２干渉部５２を介して主軸部材３４（ひいては弁体３８）を引き上げるようになっている。
【００５２】
図４から明らかなように、第２リフト部材４２の下端部は、平面視で弁体３８の中心位置から外れた位置にある。すなわち、第２リフト部材４２が弁体３８を引き上げるべく主軸部材３４を介して当該弁体３８に作用する（引き上げ力を提供する）位置は、平面視で当該弁体３８の中心から外れた位置にある。
【００５３】
次に、本実施形態による排水弁装置８の作用について説明する。
【００５４】
まず、使用者が大洗浄ボタン４ａ（操作体）を押下すると、当該大洗浄ボタン４ａが下方に洗浄水タンク６内に移動する。この移動に伴って、リンク機構４０が作動し、主軸部材３４を介して弁体３８が引き上げられる。
【００５５】
具体的には、大洗浄ボタン４ａの移動に伴って、回動アーム４４の接触部４５が下方に移動される。これにより、回動アーム４４が回動軸４３回りに回動する。
【００５６】
大洗浄ボタン４ａの移動のストロークの序盤においては、大洗浄ボタン４ａと接触部４５との接触位置が回動軸４３に比較的近い。従って、てこの原理により、押下力を比較的大きな回動力として利用することができる。また、操作体４ａの移動のストロークの前半行程においては、第１リフト部材４１の下端部が、平面視で弁体３８の中心において、主軸部材３４を介して弁体３８を引き上げる。これらの特徴によって、閉鎖位置から弁体３８を引き上げる際には水圧に打ち勝つ引き上げ力を要するところ、弁体３８の滑らかな引き上げ動作を実現することができる。
【００５７】
弁体３８が引き上げられ、弁座２６から離間することで、排水路形成部２４の縮径部２４ａ及び排水路２４ｂが排水口取付部本体２２内と連通され、排水口６ｂが開放されることとる。これにより、洗浄水タンク６内の洗浄水が、筒体２０内に流入し、更に連通口３６を介して排水口取付部本体２２内に流入し、排水路形成部２４の縮径部２４ａ及び排水路２４ｂを経て便器本体２へと排出されていく。
【００５８】
大洗浄ボタン４ａと接触部４５との接触位置は、当該大洗浄ボタン４ａの移動のストロークの中盤（前半行程の一部）においては回動軸４３から比較的遠くなり、押下力を比較的大きなストロークとして利用することができる。これにより、滑らかな反力の推移を得ることができ、操作が快適である。
【００５９】
回動軸４３の軸線に垂直な断面において、回動軸３４の軸線と回動アーム４４が第１リフト部材４１を支持する位置Ｐ１とを結ぶ直線が、水平面に対して３０°辺りを超えると、その後の回動アーム４４の回動によって位置Ｐ１（第１リフト部材）は効果的に上昇しないため、第１リフト部材４１によって上昇ストロークを効果的に稼ぐことができない。一方、回動アーム４４が第２リフト部材４２を支持する位置Ｐ２は、未だ回動軸４３の下方にある。そこで、回動アーム４４の回動に伴う位置Ｐ２の上昇を利用するべく、第２リフト部材４２を利用した弁体の引き上げが開始される（操作体４ａの移動のストロークの後半行程）。
【００６０】
位置Ｐ１も位置Ｐ２も、回動アーム４４の回動に伴って更に上昇するが、上昇の程度は位置Ｐ２の方が大きいため（厳密には、第１リフト部材４１及び第２リフト部材４２の各々の傾斜具合も影響するが、本実施形態の例を含めて通常は無視できる程度である）、第２リフト部材４２による引き上げ速度の方が、第１リフト部材４１による引き上げ速度に勝って、第１リフト部材４１によるそれまでの引き上げ動作が第２リフト部材４２による引き上げ動作に円滑に引き継がれる。
【００６１】
これにより、所望のストロークを確保することができる。この後半行程では、第２リフト部材４２の下端部が、平面視で弁体３８の中心から外れた位置において、主軸部材３４を介して弁体３８を引き上げるが、閉鎖位置から弁体３８を引き上げる際とは異なり、引き上げ力に抵抗する力（水圧等）が小さいため、弁体３８の滑らかな引き上げ動作を継続することができる。
【００６２】
また、大洗浄ボタン４ａと接触部４５との接触位置は、当該大洗浄ボタン４ａの移動のストロークの終盤（後半行程）においては、回動軸４３に再び比較的近くなり、押下力を再び比較的大きな回動力として利用することができる。これにより、滑らかな反力の推移を得ることができ、操作が快適である。
【００６３】
なお、大洗浄ボタン４ａの代わりに小洗浄ボタン４ｂが押下される場合には、例えば前述の前半行程に相当するストロークのみが利用され得る。
【００６４】
以上のような本実施形態の排水弁装置８によれば、排水口６ｂの開口縁により近い位置で、突当部２４ｄの下面が洗浄水タンク６の底面６ａに当接するため、洗浄水タンク６が陶器製であって「うねり」を有する場合であっても、突当部２４ｄにおいて設計許容値を上回る応力集中が生じることが抑制される。これにより、突当部２４ｄの変形ないし破損が生じることが抑制される。
【００６５】
また、本実施形態の排水弁装置８によれば、筒部２４ｃと突当部２４ｄとが隣接しているため、筒部２４ｃにおける負荷が「てこの原理」によって増大されて突当部２４ｄに影響を及ぼすことがない。これによっても、突当部の変形ないし破損が生じることが抑制される。
【００６６】
また、本実施形態の排水弁装置８によれば、筒部２４ｃの根元にあたる部位が突当部２４ｄによって肉厚となっているため、筒部２４ｃが根元において折れる（あるいは割れる）という破損の可能性をも顕著に抑制することができる。
【００６７】
また、本実施形態の排水弁装置８によれば、突当部２４ｄを採用しているため、締付トルクの管理等を必要とすることなく、好適な円環状のパッキン３２の締付量（締付代）を常に確保することができる。
【００６８】
また、本実施形態の排水弁装置８によれば、筒部２４ｃに雄ネジ部２４ｍが形成されており、雌ネジ部２８ｆを有する締付部材２８を洗浄水タンク６の下方側から締め付けることによって、排水口取付部１４を洗浄水タンク６に固定することが容易である。（もっとも、突当部２４ｄを採用しているため、当該締付部材２８の締付力は円環状のパッキン３２の締付量（締付代）に実質的な影響を及ぼさない。）
【００６９】
なお、雄ネジ部２４ｍは、４ピッチ以上の長さを有していてもよい。このように長い雄ネジ部２４ｍを有する筒部２４ｃであっても、筒部２４ｃの根元にあたる部位が突当部２４ｄによって肉厚となっているため、筒部２４ｃが根元において折れる（あるいは割れる）という破損の可能性を小さく維持できる。
【００７０】
なお、好適な寸法例に関して一例を挙げれば、排水口６ｂがφ８０．２の円筒形である場合には、突当部２４ｄの外側縁はφ９４（筒部２４ｃに対する径方向外側への突当部２４ｄの突出長さ（半径差）は（９４−８０．２）／２＝６．９ｍｍ）、円環状のパッキン３２の外側縁はφ１０７．４、突当部２４ｄの高さは７ｍｍ、である。
【００７１】
本発明の効果を奏する上で、突当部２４ｄの高さは、５〜１０ｍｍであることが好ましく、及び／または、排水口６ｂが円筒形である場合には、突当部２４ｄの高さは、排水口６ｂの内径の１／２０〜１／１０の範囲の寸法であることが好ましい。
【００７２】
また、本発明の効果を奏する上で、筒部２４ｃに対する外側への突当部２４ｄの突出長さは、５〜１０ｍｍであることが好ましく、及び／または、排水口６ｂが円筒形である場合には、筒部２４ｃに対する径方向外側への突当部２４ｄの突出長さ（半径差）は、排水口６ｂの内径の１／２０〜１／１０の範囲の寸法であることが好ましい。
【符号の説明】
【００７３】
１      水洗大便器
２      便器本体
４      洗浄水タンク装置
４ａ    大洗浄ボタン（操作体）
４ｂ    小洗浄ボタン（操作体）
６      洗浄水タンク
６ａ    底面
６ｂ    排水口
８      排水弁装置
１０    給水装置
１２    オーバーフロー管
１４    排水口取付部
１６    弁体支持部
２０    筒体
２２    排水口取付部本体
２４    排水路形成部
２４ａ  縮径部
２４ｂ  排水路
２４ｃ  筒部
２４ｍ  雄ネジ部
２４ｄ  突当部
２６    弁座
２８    締付部材
２８ｆ  雌ネジ部
３０    鍔部
３２    パッキン
３４    主軸部材
３６    連通口
３８    弁体
４０    リンク機構
４１    第１リフト部材
４１ｅ  第１係合部
４２    第２リフト部材
４２ｅ  第２係合部
４３    回動軸
４４    回動アーム
４５    接触部
５１    第１干渉部
５１ａ  当接面
５２    第２干渉部
５２ａ  当接面
Ｐ１    回動アームにおける第１リフト部材の上端の支持位置
Ｐ２    回動アームにおける第２リフト部材の上端の支持位置
１１４    排水口取付部
１２４    筒部
１２６    弁座
１３０    鍔部
１３１    突当部
１３２    シール部材
１３８    弁体
１０６ａ  底面
１０６ｂ  排水口
２１４    排水口取付部
２２４    筒部
２２４ｍ  雄ネジ部
２２６    弁座
２２８    締付部材
２２８ｆ  雌ネジ部
２３０    鍔部
２３２    シール部材
２３８    弁体
２０６ａ  底面
２０６ｂ  排水口
【図１】
2020033740.tif 000003
【図２】
2020033740.tif 000004
【図３】
2020033740.tif 000005
【図４】
2020033740.tif 000006
【図５】
2020033740.tif 000007
【図６】
2020033740.tif 000008